(57)【要約】【課題】  設定速度でパターン模様を縫製している縫製途中で縫製速度を所定の低速に減速できるようにして、縫製対象物の捲れ上がりを確実に防止でき、綺麗なパターン縫目を形成できるようにすることである。【解決手段】  起動スイッチがＯＮされると（Ｓ１１：Ｙｅｓ）、ミシンモータが予め設定された縫製速度で回転駆動される（Ｓ１２〜Ｓ１５）。ところで、パターン縫いの縫製途中においてアップリケ布片の一部が捲れ上がる可能性があるため、作業者により低速指令スイッチがＯＮされると（Ｓ１５：Ｙｅｓ）、ミシンモータが低速で回転駆動される（Ｓ１７〜Ｓ１９）。そこで、作業者は、アップリケ布片の一部が捲れ上がらないように、棒状の布押え具（図示略）で縫製位置の少し先を押えながらパターン縫いすることができる。【選択図】  図４
2008295734.tif 000002
【特許請求の範囲】
【請求項１】
ミシンモータで駆動される縫製機構と、加工布を保持する布保持枠を直交する２つの方向へ独立に移動駆動可能な枠移動手段とを備え、パターン模様の模様データに基づいて予め設定された縫製速度でパターン縫い可能なパターン縫いミシンにおいて、
前記ミシンモータ及び枠移動手段による縫製速度を前記予め設定された速度よりも低い速度になるように指令する低速指令スイッチと、
縫製途中で前記低速指令スイッチがオンされた場合、前記ミシンモータ及び枠移動手段の速度を前記予め設定された速度よりも低い速度に減速させる制御手段と、
を備えたことを特徴とするパターン縫いミシン。
【請求項２】
縫製停止状態で前記低速指令スイッチがオンされた場合、前記制御手段はミシンモータ及び枠移動手段を前記予め設定された速度よりも低い速度で駆動開始することを特徴とする請求項１に記載のパターン縫いミシン。
【請求項３】
前記ミシンモータ及び枠移動手段が前記予め設定された速度よりも低い速度で駆動中に前記低速指令スイッチがオフされた場合、前記制御手段はミシンモータ及び枠移動手段の駆動を中止させて縫製動作を中断させることを特徴とする請求項１又は２に記載のパターン縫いミシン。
【請求項４】
前記ミシンモータ及び枠移動手段が前記予め設定された速度よりも低い速度で駆動中に前記低速指令スイッチがオフされた場合、前記制御手段は前記予め設定された縫製速度で縫製するように前記ミシンモータ及び枠移動手段を駆動制御することを特徴とする請求項１又は２に記載のパターン縫いミシン。
【発明の詳細な説明】
【技術分野】
【０００１】
本発明は、選択されたパターン模様の模様データに基づいて、加工布を保持した布保持枠を直交する２つの方向に移動させながら予め設定された縫製速度でパターン模様を縫製するようにしたパターン縫いミシンに関する。
【背景技術】
【０００２】
従来、電子サイクルミシン等のパターン縫いミシンは、布保持枠で保持した加工布をＸ方向とＹ方向との２つの方向に夫々独立に移動させながらパターン模様を縫製するものである。この種のパターン縫いミシンでパターン模様を縫製する場合、縫製速度については、パターン縫いするパターン形状や縫製する生地の種類や厚さ等を考慮して予め設定しておき、布送り機構を駆動させながら予め選択した所望のパターン模様を加工布上にパターン縫い可能になっている。
【０００３】
例えば、特許文献１に記載のパターン縫いミシンは、ベッド部に、縫製対象の加工布を保持して直交する２方向に布送りする布送り機構を設けている。縫製時におけるミシンモータの回転速度、つまり縫製速度（例えば、２０００回転／分）は、ディスプレイを介して設定される。更に、縫製する縫目模様を予め選択して、起動スイッチをＯＮすることにより、ミシンモータが設定した縫製速度で回転駆動されるので、縫針の上下動に基づいて布送り台が高速で移動駆動され、布送り台上に保持された加工布に縫目模様を形成するようにしてある。
【０００４】
この種のパターン縫いミシンにおいて、布送り台上に配置した加工布を、パターン縫いするパターン形状にくり抜いた布押え板で上側から押えるようにしてある。この布押え板のくり抜き穴に、パターン形状に合わせて切り取ったアップリケ布片を差し込んで縫製準備し、このアップリケ布片の外周部を色糸による縫目模様で飾り縫い風に縫製する場合もある。
【特許文献１】特開閉１０−１４６４７８号公報（第４頁、図２，図３）
【発明の開示】
【発明が解決しようとする課題】
【０００５】
特許文献１に記載のパターン縫いミシンにおいて、前述したように、布押え板のくり抜き穴に差し込んだアップリケ布片の外周部を飾り縫い風にパターン縫いする場合、このアップリケ布片は布押え板のくり抜き穴に差し込んだだけである。従って、アップリケ布片の外周部を縫製中に、布送り台が高速で移動することから、アップリケ布片のこれから縫製する一端部が捲れ上がるような場合でも、作業者はこの捲れ上がりを防ぐことができず、飾り縫目が汚くなる等の問題がある。
【０００６】
そこで、このパターン縫いミシンに、一時停止スイッチが設けられている場合には、アップリケ布片が捲れ上がり始めたときに、この一時停止スイッチを操作して縫製処理を一旦停止させる。その後、起動スイッチをＯＮさせることにより外周部の飾り縫いを再開するときの「ゆっくりスタート」により、アップリケ布片が捲れ上がるようなことがなく、外周部を綺麗に飾り縫いできることが考えられる。
【０００７】
しかし、一般的に、一時停止スイッチを操作した場合、縫目模様の縫製処理がこの時点で強制的に中止され、布送り台は原点位置に復帰移動し、縫製途中の縫目カウント値がクリアされる。それ故、次に起動スイッチがＯＮされた場合には、縫製処理は縫目模様の第１針目から改めて縫製されることになるので、縫目模様の縫製途中からの縫製再開が不可能になる。即ち、アップリケ布片の捲れ上がりによる縫目不良を解消することができないことになる。
【０００８】
そこで、アップリケ布片の外周部を飾り縫い風に縫製するときの縫製速度を遅く、例えば２００回転／分に設定すれば、アップリケ布片の捲れ上がりを確実に防止することができる。しかし、縫製速度が遅いため、縫製サイクルが非常に長くなり、縫製作業の作業能率が格段に低下するという問題がある。
【０００９】
本発明の目的は、設定速度でパターン模様を縫製している縫製途中で縫製速度を所定の低速に減速できるように、縫製停止状態からの縫製開始時においても低速で縫製できるようにして、縫製対象物の捲れ上がりを確実に防止でき、綺麗なパターン縫目を形成できるようにすることである。
【課題を解決するための手段】
【００１０】
請求項１のパターン縫いミシンは、ミシンモータで駆動される縫製機構と、加工布を保持する布保持枠を直交する２つの方向へ独立に移動駆動可能な枠移動手段とを備え、パターン模様の模様データに基づいて予め設定された縫製速度でパターン縫い可能なパターン縫いミシンにおいて、ミシンモータ及び枠移動手段による縫製速度を予め設定された速度よりも低い速度になるように指令する低速指令スイッチと、縫製途中で低速指令スイッチがオンされた場合、ミシンモータ及び枠移動手段の速度を予め設定された速度よりも低い速度に減速させる制御手段とを備えたものである。
【００１１】
布保持枠に保持した加工布の上側に布片を載置し、起動スイッチをＯＮにして、布片を加工布上に縫い付けるパターン縫いを、予め設定された速度により高速で行なっている縫製途中において、縫針が縫製対象の捲れ上がった生地に引っ掛かるような場合に、作業者は低速指令スイッチを操作することにより、縫製速度が強制的に、予め設定された速度よりも低い速度になる。そこで、作業者は余裕を持って、縫製位置の少し前側を押え具で押えることができる。それ故、生地の捲れ上がりを抑制した状態でパターン縫目が継続して縫製される。
【００１２】
請求項２のパターン縫いミシンは、請求項１において、縫製停止状態で低速指令スイッチがオンされた場合、制御手段はミシンモータ及び枠移動手段を予め設定された速度よりも低い速度で駆動開始するものである。
【００１３】
請求項３のパターン縫いミシンは、請求項１又は２において、前記ミシンモータ及び枠移動手段が予め設定された速度よりも低い速度で駆動中に低速指令スイッチがオフされた場合、制御手段はミシンモータ及び枠移動手段の駆動を中止させて縫製動作を中断させるものである。  
【００１４】
請求項４のパターン縫いミシンは、請求項１又は２において、前記ミシンモータ及び枠移動手段が予め設定された速度よりも低い速度で駆動中に低速指令スイッチがオフされた場合、制御手段は予め設定された縫製速度で縫製するようにミシンモータ及び枠移動手段を駆動制御するものである。
【発明の効果】
【００１５】
請求項１の発明によれば、縫製機構と、枠移動手段とを備え、パターン模様の模様データに基づいて予め設定された縫製速度でパターン縫い可能なパターン縫いミシンにおいて、低速指令スイッチと、制御手段とを備えたので、パターン模様の縫製途中で加工布上に縫い付ける布片が捲れ上がって縫針に引っ掛かるような場合でも、作業者により低速指令スイッチがオンされると、ミシンモータ及び枠移動手段による縫製速度が即座に、予め設定された速度よりも低い速度になるので、作業者は布片の捲れ上がりを押え具等で確実に押えることができる。
【００１６】
それ故、布片の捲れ上がりを必要に応じて防げることから、布片にパターン模様を綺麗に縫製することができる。しかも、布片の捲れ上がりが起こるようなときにだけ縫製速度を一時的に、予め設定された速度よりも低い速度に減速させるだけなので、綺麗なパターン模様の縫製と縫製作業の能率化とを両立させることができる。
【００１７】
請求項２の発明によれば、縫製停止状態で低速指令スイッチがオンされた場合、制御手段はミシンモータ及び枠移動手段を予め設定された速度よりも低い速度で駆動開始するので、パターン模様の縫製開始時における布片の捲れ上がりを確実に防止することができる。その他請求項１と同様の効果を奏する。
【００１８】
請求項３の発明によれば、前記ミシンモータ及び枠移動手段が予め設定された速度よりも低い速度で駆動中に低速指令スイッチがオフされた場合、制御手段はミシンモータ及び枠移動手段の駆動を中止させて縫製動作を中断させるので、低速による縫製時には、布片が捲れ上がらないように何らかの補正を施している場合が多く、この縫製動作の中断時に、何らかの補正を施した布片を、次の縫製再開のために整えることができる。それ故、縫製を再開する際の操作性を格段に高めることができる。その他請求項１又は２と同様の効果を奏する。
【００１９】
請求項４の発明によれば、前記ミシンモータ及び枠移動手段が予め設定された速度よりも低い速度で駆動中に低速指令スイッチがオフされた場合、制御手段は予め設定された縫製速度で縫製するようにミシンモータ及び枠移動手段を駆動制御するので、パターン模様を縫製する縫製サイクルを極力短縮することができ、作業能率を向上させることができる。その他請求項１又は２と同様の効果を奏する。
【発明を実施するための最良の形態】
【００２０】
本実施例のパターン縫いミシンは、パターン模様の縫製途中で、作業者が必要に応じて低速指令スイッチを操作するだけで、縫製速度を所定の低速に減速でき、作業者がパターン縫いするワッペンやアップリケの捲れ上がりを手で押えることができ、縫い上がり体裁の綺麗なパターン模様を縫製できるようにしてある。
【実施例】
【００２１】
図１に示すように、パターン縫いミシン１は、作業台として機能するミシンテーブル２と、このミシンテーブル２上に装備されたミシン本体３と、ミシンテーブル２上に立設された操作パネル９を有している。ミシン本体３は、ベッド部４と脚柱部５とアーム部６とを一体的に有し、加工布Ｗを保持しながら直交するＸ方向（左右方向）とＹ方向（前後方向）へ独立に布送りする布送り機構８がベッド部４に設けられている。操作パネル９には、液晶ディスプレイ９ａと、テンキー９ｂと、各種の操作スイッチを有するスイッチ類９ｃ等が設けられている。
【００２２】
布送り機構８（枠移動手段）は、図示しないＸ方向駆動機構及びＹ方向駆動機構と、これらの駆動機構により直交する２つ方向へ独立に移動駆動される布保持板１５と、布押え部材１６等を有している。布保持板１５はベッド部４の上面で加工布Ｗを載置する板部材であり、後述するＸ方向駆動機構でＸ方向に移動されるとともに、後述するＹ方向駆動機構でＹ方向に移動される。
【００２３】
布押え部材１６は奥側の１対のヒンジ機構１７により布保持板１５に上下揺動可能に支持され、布保持板１５の前側に設けられた１対のフック機構１８の係合リング１８ａに係合される係合金具１９が固定されている。布押え部材１６には、図２に示すように、アルファベットの「Ｊ」字状にくり抜いたくり抜き穴１６ａが形成されている。それ故、加工布Ｗにパターン縫いを行なう場合には、先ず、布押え部材１６をヒンジ機構１７を介して上側に揺動させた状態で、布保持板１５の所定位置に加工布Ｗを載置する。
【００２４】
次に、布押え部材１６を下側に降ろし、更に、１対のフック機構１８の係合リング１８ａを布押え部材１６の係合金具１９に引っ掛けることで、加工布Ｗを布保持板１５で下側から支持しながら布押え部材１６で上側から押えるようになっている。ここで、布保持板１５にも、布押え部材１６のくり抜き穴１６ａと同様の切欠きが形成されている。
【００２５】
Ｘ方向駆動機構は、Ｘ軸駆動モータ２１（図２参照）と、Ｘ軸駆動モータ２１の回転を、その出力軸に固定された円筒螺旋カム（図示略）を介して布保持板１５のＸ方向送りに変換する機構（図示略）とを有する。Ｙ方向駆動機構は、Ｙ軸駆動モータ２２（図２参照）と、Ｙ軸駆動モータ２２の回転を、その出力軸に固定された円筒螺旋カム（図示略）を介して布保持板１５のＹ方向送りに変換する機構（図示略）とを有する。
【００２６】
このパターン縫いミシン１では、布保持板１５上にセットした加工布Ｗを布押え部材１６で上側から押圧保持した状態で、縫針７を上下に往復駆動させている。同時に、両駆動モータ２１，２２により布保持板１５をＸ方向とＹ方向とに独立に移動駆動して、Ｘ方向とＹ方向の２方向の位置を制御することで、パターン縫製データに応じたパターン模様を加工布Ｗに自動的に縫製するようになっている。
【００２７】
アーム部６には、この前端部に一時停止スイッチ４０が設けられ、前後方向向きに主軸（図示略）が内蔵され、上下に往復移動する針棒（図示略）と天秤（図示略）が夫々設けられている。この針棒の下端には縫針７が着脱可能に装着されている。ベッド部４には、縫針７と協働して縫目を形成する垂直全回転釜（図示略）と、上糸と下糸を同時に切断する糸切り機構（図示略）が設けられている。針棒に設けた縫針７と天秤と垂直全回転釜等から縫製機構が構成されている。
【００２８】
図１に示すように、ミシンテーブル３の下側に、ミシンモータ３０が配設され、制御ボックス１０が設けられている。この制御ボックス１０には、後述する縫製制御装置２５が内蔵されている。ミシンテーブル２の下側には、縫製動作の開始／停止の切換え操作を行うためにペダル型の起動スイッチ１１が配設されている。
【００２９】
即ち、この起動スイッチ１１は作業者の足で前方に踏み込むことによりミシンモータ３０が起動され、後側に踏み込むと、ミシンモータ３０の駆動が停止されると共に糸切りソレノイド３１の駆動による糸切り機構により糸切りが実行される。ミシンテーブル２の下側には、更に、起動スイッチ１１に隣接させて、縫製途中において或いは縫製開始時に、縫製速度を所定の低速（例えば、２００回転／分）で縫製したい場合に足踏み操作する低速指令スイッチ１２が配設されている。この低速指令スイッチ１２は常開型のスイッチであり、常にはオフされているが、作業者による足踏みされた状態で閉成される。
【００３０】
次に、パターン縫いミシン１の制御系について説明する。
図２に示すように、縫製制御装置２５は、ＣＰＵ２６とＲＯＭ２７とＲＡＭ２８等を含むコンピュータから構成されている。この縫製制御装置２５には、起動スイッチ１１と、非常停止スイッチ４０と、パターン縫い途中で縫製速度を強制的に低速に減速させる低速指令スイッチ１２と、ミシン主軸の回転角を検出する主軸回転角検出センサ２９と、操作パネル９が電気的に接続されている。
【００３１】
この縫製制御装置２５には、更に、ミシンモータ３０を駆動する駆動回路３２と、Ｘ軸駆動モータ２１を駆動する駆動回路３３と、Ｙ軸駆動モータ２２を駆動する駆動回路３４と、糸切り機構を糸切り作動させる糸切りソレノイド３１を駆動する駆動回路３５等が接続されている。
【００３２】
ＲＯＭ２７には、縫製対象の複数のパターン模様を縫製する為の複数のパターン縫製データと、これら複数のパターン模様を縫製するときに縫製速度を減速可能な本願特有の縫製速度制御の制御プログラム等が予め記憶されている。ＲＡＭ２８には、各種の制御を実行するに際して必要なメモリ類（フラグやポインタやカウンタ等のメモリ、レジスタやバッファ等）が必要に応じて設けられている。
【００３３】
各パターン模様のパターン縫製データは、図示を省略するが、設定された縫製速度情報と、縫製開始位置である第１縫目から最終縫目までの多数の針落ち位置の各々について、Ｘ座標値とＹ座標値とからなる縫目データと、糸切りコードや縫製終了コード等から構成されている。但し、各縫目データは、相対座標データであっても、絶対座標データであってもよい。
【００３４】
次に、縫製制御装置２５で実行される縫製速度制御のルーチンについて、図４のフローチャートに基づいて説明する。但し、図中、符号Ｓｉ（ｉ＝１１、１２、１３・・・）は各ステップを示すものである。
【００３５】
パターン縫いミシン１に電源が投入され、パターン模様を選択するとこの縫製速度制御が実行される。先ず、起動スイッチ１１が踏込み操作によりＯＮ（オン）されると（Ｓ１１：Ｙｅｓ）、縫製を開始するために、パターン縫製データに予め設定されている設定速度（例えば、２０００回転／分）でミシンモータ３０を回転駆動するように縫製速度を設定する設定速度設定処理が実行される（Ｓ１２）。
【００３６】
起動スイッチ１１のＯＮ操作によりミシンモータ３０の回転駆動が開始され、縫目データに基づいて予め設定された縫製速度で１針ずつ自動的に縫目を形成する自動縫製処理が実行される（Ｓ１３〜Ｓ１５）。即ち、主軸回転角度検出センサ２９からのタイミング信号に基づいて、布送り可能なタイミングになったときに、次の１針分の縫目データが読み込まれ、この縫目データで規定される送り量に基づいて両駆動モータ２１，２２が駆動される。従って、加工布Ｗを保持する布保持板１５と布押え部材１６が一体的に移動してから１針分の縫目を形成する通常１針縫製処理が実行される（Ｓ１３）。
【００３７】
次に、パターン縫いのための次の縫目データが有る場合に（Ｓ１４：Ｙｅｓ）、低速指令スイッチ１２が操作されない場合には（Ｓ１５：Ｎｏ）、Ｓ１３〜Ｓ１５が繰返して実行されるので、パターン縫いの自動縫製処理が実行される。但し、次に縫製すべき縫目データが無い場合、つまりパターン模様の縫製処理が終了した場合には（Ｓ１４：Ｎｏ）、この制御を終了する。
【００３８】
このように予め設定された縫製速度によるパターン縫いの実行途中に、作業者により低速指令スイッチ１２がＯＮされた場合には（Ｓ１５：Ｙｅｓ）、ミシンモータ３０に対して所定の低速（予め設定された速度よりも低い速度であり、例えば、２００回転／分）で回転駆動するように速度を設定する低速設定処理が実行される（Ｓ１７）。それ故、低速による１針縫製処理が実行される（Ｓ１８）。このＳ１８における低速１針縫製処理においては、縫製速度が遅いだけで、Ｓ１３と同様に縫製処理される。
【００３９】
即ち、主軸回転角度検出センサ２９からのタイミング信号に基づいて、布送り可能なタイミングで、次の１針分の縫目データが読み込まれる。この縫目データで規定される送り量に基づいて両駆動モータ２１，２２が駆動されて、加工布Ｗを保持する布保持板１５と布押え部材１６が一体的に移動されてから１針分の縫目を形成する低速１針縫製処理が実行される。このとき、作業者により低速指令スイッチ１２の踏込みが継続されているＯＮ状態であって、低速指令が継続して出力されている場合には（Ｓ１９：Ｙｅｓ）、Ｓ１８〜Ｓ１９が繰返して実行され、低速による１針縫製処理が実行される。
【００４０】
即ち、低速指令スイッチ１２がＯＮ操作されると、ミシンモータ３０及び布送り機構８による縫製速度が所定の低速になるように指令される。作業者による低速指令スイッチ１２の踏込みが中止されてＯＮ状態が解除された場合には（Ｓ１９：Ｎｏ）、ミシンモータ３０の駆動を停止させる駆動停止指令が出力される（Ｓ２０）。その結果、ミシンモータ３０の駆動が停止されて、縫製処理が一時的に中断される。
【００４１】
ここで、パターン模様を選択後、作業者により低速指令スイッチ１２がＯＮされた場合には（Ｓ１１：No、Ｓ１６：Ｙｅｓ）、Ｓ１７を実行後、Ｓ１８〜Ｓ１９による低速１針縫製処理が実行される。そして、低速指令スイッチ１２の踏込みが継続されている場合には（Ｓ１９：Ｙｅｓ）、Ｓ１８〜Ｓ１９が繰返して実行され、低速による縫製処理が実行される。作業者による低速指令スイッチ１２の踏込みが中止されてＯＮ状態が解除されたときに（Ｓ１９：Ｎｏ）、ミシンモータ３０の駆動を一時的に停止させる駆動停止指令が出力される（Ｓ２０）。
【００４２】
この一時的な縫製停止時に、作業者により起動スイッチ１１がＯＮされると（Ｓ２１：Ｙｅｓ）、Ｓ１２を実行後、Ｓ１３〜Ｓ１５による自動縫製処理が実行される。しかし、Ｓ２０による一時的な縫製停止状態において、低速指令スイッチ１２がＯＮされたときには（Ｓ２２：Ｙｅｓ）、前述したように、この低速指令スイッチ１２のＯＮ状態が解除されるまで、Ｓ１７を実行後、Ｓ１８〜Ｓ１９による低速１針縫製処理が実行される。
【００４３】
Ｓ２０による一時的な縫製停止状態において、操作パネル９のスイッチ類９ｃに設けられた糸切りスイッチ（図示略）がＯＮ操作された場合には（Ｓ２３：Ｙｅｓ）、両駆動モータ２１，２２の駆動により、１針分の前送りが実行されてから、糸切りソレノイド３１に駆動信号が出力されて糸切り機構による糸切りが行なわれる（Ｓ２４）。
【００４４】
このように、Ｓ２４において糸切りが実行されてからＳ２８が実行されるまで、継続縫い（縫いつなぎ）不可能状態になる。この継続縫い不可能状態において、起動スイッチ１１がＯＮされると（Ｓ２５：Ｙｅｓ）、両駆動モータ２１，２２を駆動させて、布保持板１５と布押え部材１６が一体的に原点位置に復帰移動させる原点復帰処理が実行され（Ｓ３６）、Ｓ１１以降が繰返して実行される。この継続縫い不可能状態において、非常停止スイッチ４０がＯＮされると（Ｓ２６：Ｙｅｓ）、前述したように布保持板１５と布押え部材１６が原点復帰処理され（Ｓ３６）、Ｓ１１以降が繰返して実行される。
【００４５】
ここで、操作パネル９のスイッチ類９ｃに設けられたステップバックスイッチ（図示略）がＯＮされると（Ｓ２７：Ｙｅｓ）、ステップバック処理が実行される（Ｓ２８）。このように、Ｓ２８においてステップバック処理が実行されてからＳ３４が実行されるまで、継続縫い（縫いつなぎ）可能状態になる。そこで、この継続縫い可能状態において、起動スイッチ１１がＯＮされると（Ｓ２９：Ｙｅｓ）、前述したように、Ｓ１２を実行後、Ｓ１３〜Ｓ１５による自動縫製処理が実行される。
【００４６】
また、この継続縫い可能状態において、低速指令スイッチ１２がＯＮされると（Ｓ３０：Ｙｅｓ）、前述したように、この低速指令スイッチ１２のＯＮ状態が解除されるまで、Ｓ１７を実行後、Ｓ１８〜Ｓ１９による低速１針縫製処理が実行される。ところで、この継続縫い可能状態において、非常停止スイッチ４０がＯＮされると（Ｓ３１：Ｙｅｓ）、前述したように原点復帰処理が実行され（Ｓ３６）、Ｓ１１以降が繰返して実行される。また、この継続縫い可能状態において、ステップバックスイッチがＯＮされると（Ｓ３２：Ｙｅｓ）、ステップバック処理が実行される（Ｓ３３）。
【００４７】
更に、操作パネル９のスイッチ類９ｃに設けられたテスト送りスイッチ（図示略）が操作された場合には（Ｓ３４：Ｙｅｓ）、１針分だけ前送り（布送り）処理が実行される（Ｓ３５）。
ここで、布保持板１５と布押え部材１６から布保持枠が構成され、布送り機構８が枠移動手段に相当する。縫製速度制御のＳ１２，Ｓ１７，Ｓ２０を実行する縫製制御装置２５がミシンモータ制御手段に相当する。
【００４８】
次に、パターン縫いを行なうときの縫製速度制御の作動について説明する。
加工布Ｗの所定位置（例えば、中央部）にＪ字状のアップリケ布片ＡＰをその外周部に沿って飾り縫いする場合について、図２に基づいて説明する。この場合、前述したように、作業者はフック機構１８の係合リング１８ａを外して、布押え部材１６の前側を上方に持ち上げた状態で、布保持板１５上の所定位置に加工布Ｗを載置する。その後、布押え部材１６を降ろしてフック機構１８の係合リング１８ａを布押え部材１６の係合金具１９に引っ掛けて、加工布Ｗを保持する。
【００４９】
次に、図２に示すように、作業者はＪ字状に切り取ったアップリケ布片ＡＰを布押え部材１６のくり抜き穴１６ａに差し込む。そして、作業者は、このアップリケ布片ＡＰの外周部を時計回りに縫製するパターン模様を選択してから起動スイッチ１１を踏み込んでＯＮ操作する。これにより、ミシンモータ３０が予め設定された縫製速度（例えば、２０００回転／分）で回転駆動されるとともに、Ｘ，Ｙ軸駆動モータ２１，２２の駆動により、第１針落ち位置Ｈ０から時計回りに順次パターン縫いが実行される。
【００５０】
ところで、パターン縫いの縫製位置がアップリケ布片ＡＰの元部ＡＰａから先端部ＡＰｂへ順次進むに連れて、この先端部ＡＰｂの幅寸法が小さいので、縫製途中で捲れ上がる可能性が高い。そこで、作業者は、先端部ＡＰｂを縫製する前に、低速指令スイッチ１２を踏込んでＯＮ操作すると、ミシンモータ３０が低速（例えば、２００回転／分）で回転駆動されるので、作業者は、アップリケ布片ＡＰの先端部ＡＰｂが捲れ上がらないように、縫製位置の少し先を棒状の布押え具（図示略）で押えながらパターン縫いすることができる。
【００５１】
このように、捲れ上がりそうなアップリケ布片ＡＰの先端部ＡＰｂを棒状の布押え具で押えながら低速で綺麗に縫製した後、作業者は低速指令スイッチ１２の踏込みを中止すると、縫製処理が一旦停止する。このとき、作業者はアップリケ布片ＡＰを整えてから、起動スイッチ１１をＯＮ操作して縫製を再開する。これにより、ミシンモータ３０が設定速度で回転駆動されるので、高速で縫製処理が実行され、元部ＡＰａと先端部ＡＰｂとが順次縫製されて、アップリケ布片ＡＰのパターン縫いが完了する。
【００５２】
このように、パターン模様の模様データに基づいて予め設定された縫製速度でパターン縫い可能なパターン縫いミシン１において、足踏み式の低速指令スイッチ１２を設け、アップリケ布片ＡＰの外周部をパターン縫いしている縫製途中で、アップリケ布片ＡＰの先端部ＡＰｂが捲れ上がって縫針７が引っ掛かるような場合、作業者により低速指令スイッチ１２がＯＮされると、ミシンモータ３０及び布送り機構８による縫製速度が即座に、予め設定された速度よりも低い速度になるので、作業者はアップリケ布片ＡＰの捲れ上がりを確実に押えることができる。
【００５３】
それ故、アップリケ布片ＡＰの捲れ上がりを必要に応じて防げることから、アップリケ布片ＡＰにパターン模様を綺麗に縫製することができる。しかも、アップリケ布片ＡＰの捲れ上がりが起こるようなときにだけ縫製速度を一時的に、予め設定された速度よりも低い速度に減速させるだけなので、綺麗なパターン模様の縫製と縫製作業の能率化とを両立させることができる。
【００５４】
また、縫製停止状態で低速指令スイッチ１２がオンされた場合、ミシンモータ３０及び布送り機構８を予め設定された速度よりも低い速度で駆動開始するので、パターン模様の縫製開始時におけるアップリケ布片ＡＰの特に先端部ＡＰｂの捲れ上がりを確実に防止することができる。
【００５５】
また、ミシンモータ３０及び布送り機構８が予め設定された速度よりも低い速度で駆動中に、低速指令スイッチ１２がオフされた場合、ミシンモータ３０及び布送り機構８の駆動が中止され、縫製動作を中断させるので、低速による縫製時にアップリケ布片ＡＰが捲れ上がらないように何らかの補正を施している場合が多く、この縫製動作の中断時に、何らかの補正を施したアップリケ布片ＡＰを、次の縫製再開のために整えることができる。それ故、縫製を再開する際の操作性を格段に高めることができる。
【００５６】
次に、前記実施例を部分的に変更した変更形態について説明する。
１）図５に示すように、前述した縫製速度制御を部分的に変更し、低速による縫製処理の後、縫製処理を停止させることなく、縫製処理を再開するようにしてもよい。即ち、予め設定された縫製速度によるパターン縫いの実行途中に、低速指令スイッチ１２がＯＮされた場合（Ｓ１５：Ｙｅｓ）、又は縫製開始に際して低速指令スイッチ１２がＯＮされた場合には（Ｓ１６：Ｙｅｓ）、Ｓ１７を実行後、Ｓ１８〜Ｓ１９による低速１針縫製処理が実行された後、低速指令スイッチ１２の踏込みが中止されてＯＮ状態が解除されたときには（Ｓ１９：Ｎｏ）、Ｓ１２を実行後、Ｓ１３〜Ｓ１５により、設定速度による通常のパターン縫いが実行される。
【００５７】
このように、ミシンモータ３０及び布送り機構８が予め設定された速度よりも低い速度で駆動中に低速指令スイッチ１２がオフされた場合、ミシンモータ３０及び布送り機構８は予め設定された縫製速度で縫製するように駆動制御されるので、パターン模様を縫製する縫製サイクルを極力短縮することができ、作業能率を向上させることができる。
【００５８】
２）本実施例においては、低速指令スイッチ１２を足踏みペダル式で構成したが、アーム部６の前端部下方にボタン式スイッチで構成することが望ましい。
【図面の簡単な説明】
【００５９】
【図１】本発明の実施例に係るパターン縫いミシンの斜視図である。
【図２】加工布を保持する布保持板と布押え部材の平面図である。
【図３】パターン縫いミシンの制御系のブロック図である。
【図４】縫製速度制御のフローチャートである。
【図５】変更形態に係る図４相当図である。
【符号の説明】
【００６０】
１      パターン縫いミシン
７      縫針
１２    低速指令スイッチ
２５    縫製制御装置
３０    ミシンモータ
【図１】
2008295734.tif 000003
【図２】
2008295734.tif 000004
【図３】
2008295734.tif 000005
【図４】
2008295734.tif 000006
【図５】
2008295734.tif 000007